【事件の表示】
　平成　７年特許願第１２５６３８号「パチンコホール用情報提供システムおよびパチンコホール用情報提供方法」拒絶査定不服審判事件〔平成　８年１１月１２日出願公開、特開平　８−２９４５７５〕について、次のとおり審決する。
【結　論】
　本件審判の請求は、成り立たない。
【理　由】
【１】手続の経緯及び本願発明 
　本願は、平成７年４月２７日の出願であって、平成１４年１月１０日付けの拒絶理由に対して平成１４年３月１５日付けで手続き補正書が提出され、平成１４年４月９日付けで拒絶査定がなされ、これに対し平成１４年５月１５日付けで審判請求がなされたものであり、その特許請求の範囲の請求項１に記載された発明（以下、「本願発明」という。）は、平成１４年３月１５日付けの手続き補正書により補正された明細書及び図面の記載からみて、以下のとおりのものである。 
「【請求項１】パチンコホール内に設置された各ゲーム機毎の稼働状況を示す稼働情報を記憶するホール管理コンピュータと、このホール管理コンピュータに結合され、前記記憶された稼働情報のうち特定の稼働情報を前記パチンコホールの外部に送出する通信制御装置とを備えており、前記パチンコホール外の遊戯客により携帯される携帯通信端末の操作によって、前記特定の稼働情報を前記通信制御装置から前記携帯通信端末にリアルタイムで受信して表示できるように構成されていることを特徴とする、パチンコホール用情報提供システム。」 　　
　　　　　　
【２】引用例に記載の発明
　原査定の拒絶の理由に引用され、本願の出願日前に頒布された特開平６−１８２０４６号公報（以下、「引用例１」という。）には、図面とともに、以下の技術事項が記載されている。
１−（ア）「・・・その目的とするところは、事前に遊技情報を得ることができると共に遊技すべき遊技機を予約することが可能な遊技機の遊技情報管理提供システムを提供することにある。」（段落【０００３】）
１−（イ）「・・まず、図３を参照して遊技場に設置されるパチンコ島台１の構成について説明する。図３は、パチンコ島台１の部分斜視図である。図において、周知のように、パチンコ島台１には、複数のパチンコ機２が横方向に列設されるように設けられている。・・・」（段落【０００６】）
１−（ウ）「上記のように構成されるパチンコ島台１に列設されるパチンコ機２で生じる遊技情報、例えば、大当り回数、始動入賞回数、予定終了回数、出玉率等の情報は、図１に示すように、遊技場に設置される遊技情報管理装置７によって加工されて格納される。この遊技情報管理装置７は、パチンコ機２から送られてくる信号に基づいてデータ管理する通常の管理装置を兼用したものであっても良いし、あるいは専用の情報管理装置であっても良い。また、遊技情報管理装置７には、パチンコ機２の遊技データ以外の遊技情報、例えば、機種説明情報、空席情報、新台情報、新装開店情報、営業情報、イベント情報等を入力する入力部を備えており、該入力部によって入力された情報も格納される。」（段落【０００８】）
１−（エ）「一方、遊技場と会員契約を締結した遊技会員の有する端末装置１０は、いわゆるパソコンであり、ディスプレイ１１とキーボード１２とパソコン本体１３とから構成されるものである。そして、図２で示すように、この端末装置１０に通信ソフト１４をロードさせることにより、モデム１５を介して外部と通信することができるようになっている。」（段落【０００９】）
１−（オ）「しかして、上記のように構成される遊技情報管理装置７と端末装置１０とは、図１に示すように、ＢＢＳネットワーク２０によって接続される。ＢＢＳネットワーク２０とは、任意に設立された特定の集団によって運営されるパソコン通信ネットワークを意味するが、本実施例においては、例えば、遊技場を中心にして遊技場と遊技会員とで新たにＢＢＳネットワーク２０を設立しても良いし、あるいは既に設立されているＢＢＳネットワーク２０に遊技場と遊技会員とが加盟したものでも良い。・・・」（段落【００１０】）
１−（カ）「上記したＢＢＳネットワーク２０によるより具体的な接続は、図２に示すようになっている。図２は、遊技情報管理装置７と端末装置１０との接続の具体例を示す概略図である。図において、ホール用のホストコンピュータ７（遊技情報管理装置７）には、ホールデータ入出力８から遊技情報が入出力されるが、このホールデータ入出力８とは、各パチンコ機２から自動的に入力されることと、前記した入力部から手動的に入力されることを含み、また、ホストコンピュータ７からパチンコ島台１のパチンコ機２に出力されることを含むものである。そして、ホール用ホストコンピュータ７とＢＢＳ用ホストコンピュータ２０とは、ＢＢＳネットワーク（公衆電話回線を使用してもあるいは専用の通信回線を使用しても良い）で接続され、一方、遊技会員の有する端末装置１０（ユーザコンピュータ）は、ＲＳ２３２Ｃコードによってモデム１５と接続され、該モデム１５とＢＢＳ用ホストコンピュータ２０とをモジュールケーブル及び公衆電話回線２１を介して接続する。これにより、遊技情報管理装置７と端末装置１０とがＢＢＳネットワーク２０で接続されたこととなる。」（段落【００１１】）
１−（キ）「上記したシステムによって遊技会員が得ることができる遊技情報の一例について以下説明する。まず、遊技会員が自己の有する端末装置１０のキーボード１２を操作してＢＢＳ用ホストコンピュータ２０を介して遊技情報管理装置７と接続し、必要とする情報の提供を受ける。・・・」（段落【００１２】）
１−（ク）「また、他の遊技情報、例えば、図６に示すように、パチンコ機２の遊技に係る大当り情報、始動入賞情報、出玉率等をキーボード１２を操作することにより、ディスプレイ１１に表示することもできる。このような遊技情報に基づいて前記した予約を行うこともできる。このように、遊技場に来店しなくても事前に遊技情報を得ることができる。」（段落【００１３】）
１−（ケ）「・・・本実施例によれば、遊技会員が自分の端末装置１０を操作して遊技情報請求することにより、遊技場に設置される遊技情報管理装置７によって管理される各種の遊技情報がＢＢＳネットワーク２０を介して端末装置１０に伝送されるため、遊技場に来店しなくても事前に遊技情報を得ることができる。また、遊技会員が自分の端末装置１０を操作して空き台遊技機予約請求することにより、その予約が遊技情報管理装置７に登録されるので、遊技場に行けば、即座に予約したパチンコ機２で遊技を行うことができる。・・・」（段落【００１５】）
　　　　　
　以上、１−（ア）乃至１−（ケ）の記載から、「引用例」には、以下の発明が記載されているものと認められる。（以下、「引用発明」という。） 
　　　　　
＜引用発明＞
「遊技場に設置された複数のパチンコ機２で生じる、大当り回数、始動入賞回数、予定終了回数、出玉率等の遊技情報を格納する遊技場に設置された遊技情報管理装置７と、遊技場と会員契約を締結した遊技会員の有する端末装置１０とからなり、遊技情報管理装置７と端末装置１０がＢＢＳネットワーク２０によって接続され、遊技会員が自己の有する端末装置１０のキーボードを操作して遊技情報をディスプレイ１１に表示することができる遊技機の遊技情報管理提供システム。」
　　　　　　
　また、同じく原査定の拒絶の理由に引用され、本願の出願日前に頒布された特開平５−２５３３５０号公報（以下、「引用例２」という。）には、図面とともに、以下の技術事項が記載されている。
２−（ア）「・・・集中管理コンピュータ２の中核をなす制御回路４は、パチンコ遊技機１との間で入力回路５及び出力回路６を介して信号の授受を行うと共に、データ表示装置３との間で通信制御回路７を通じてデータの授受を行うようになっており、・・・外部メモリ１１などを有する。」（段落【００１５】）
２−（イ）「また、制御回路４は、パチンコ遊技機１から特賞信号Ｓｆが入力される毎に、外部メモリ１１に対して集計データＤＳ２を順次記憶する。・・・」（段落【００１８】）
２−（ウ）「データ表示装置３の電気的構成の概略を示す図１において、通信制御回路１２は、・・・内部にデータ記憶手段としての受信データバッファ１２ａを有する。メモリ１３は、変換データバッファ１３ａ、表示エリア指定メモリ１３ｂ及び履歴データメモリ１３ｃを有する。」（段落【００２１】）
２−（エ）「・・・制御回路１５は、マイクロコンピュータを含んで構成されたもので、上記通信制御回路１２、メモリ１３及びＣＲＴディスプレイ１４の制御を、キーボード１６からの操作信号及び予め記憶したプログラムに基づいて行う・・・」（段落【００２４】）
２−（オ）「制御回路１５は、・・・現在時刻が予め設定したデータ読み込み時刻（例えば毎正時及び１０分刻みの各時刻、つまり毎時００分、１０分、２０分、３０分、４０分、５０分）になったか否かを判断し（ステップＡ２）、「ＹＥＳ」と判断したときには通信処理ルーチンＡ３を実行する。」（段落【００２５】）
２−（カ）「上記通信処理ルーチンＡ３に移行したときには、まず、データ要求ルーチンＢ１を実行する。このルーチンＢ１では、通信制御回路１２を通じて集中管理コンピュータ２側へデータ送信要求を送信すると共に、集中管理コンピュータ２側からの返信データの受信が完了したときに初めて次のステップＢ２へ移行する。」（段落【００２６】）
２−（キ）「・・・集中管理コンピュータ２側の制御回路４は、上記データ送信要求を受けたときに、その時点から１０分間だけ遡った期間において外部メモリ１１に記憶した集計データＤＳ１、ＤＳ２・・・をデータ表示装置３側へ返信するものであり、このような返信データＤＳ１、ＤＳ２は、・・・受信データバッファ１２ａに図５に示すようなテーブルで一括して更新記憶される。・・・」（段落【００２７】）
２−（ク）「上述のようなデータ要求ルーチンＢ１に引き続いて行われる前記ステップＢ２では、受信データバッファ１２ａの記憶データを１ブロック分（台番号データΔＮ、発生時刻データΔＴ、種別データΔＦの１組分）だけ読み込むものであり、この後には、データ変換処理ルーチンＢ３を実行する。」（段落）（段落【００２８】）
２−（ケ）「このルーチンＢ３では、・・・時系列データΔＸに変換するものであり、これに引き続くステップＢ４では、上記変換後の時系列データΔＸを含む集計データＤＳ１或はＤＳ２を、メモリ１３の変換データバッファ１３ａに対し図６に示すようなテーブルで記憶させる。」（段落【００２９】）
２−（コ）「上記のようなデータ読み込みステップＢ２、データ変換処理ルーチンＢ３及びデータ記憶ステップＢ４は、発生時刻データΔＴの時系列データΔＸへの変換処理が、受信データバッファ１２ａに一括して記憶された集計データＤＳ１、ＤＳ２の全部について行われるまで継続するものであり（ステップＢ５）、このような変換処理が全て済んだ後には、履歴データ書換ルーチンＢ６を実行した後にリターンする。」（段落【００３１】）
２−（サ）「上記履歴データ書換ルーチンＢ６では、メモリ１３内の履歴データメモリ１３ｃに記憶されている履歴データΣＳ中に、前記変換データバッファ１３ａの記憶データに移植するものである。ここで、上記履歴データΣＳの記憶テーブルは図７に示す状態となっている。・・・」（段落【００３２】）　２−（シ）「図３に翻って、前記通信処理ルーチンＡ３からリターンしたとき、並びに前記ステップＡ２で「ＮＯ」と判断したときには、キーボード１６を通じて表示指令操作が行われたか否かを判断する（ステップＡ４）。・・・」（段落【００３４】）
２−（ス）「・・・キーボード１６を通じて例えば機種及び特賞データが指定された場合には、履歴データメモリ１３ｃに記憶された履歴データΣＳ中から、機種コードＣＫ及び種別データΔＦ（＝０）が合致するデータを読み出し、このように読み出した履歴データΣＳ中の台番号データΔＮをＣＲＴディスプレイ１４の台番号表示エリア１４ｂに表示する。・・・」（段落【００３６】）
２−（セ）「・・・上記のような表示は、毎正時になる毎に新たなデータに基づいたものに順次変更されるものであるから、パチンコ遊技機１おける特賞発生状況或は打止発生状況に関して常に最新のデータが得られる・・・」（段落【００４５】）
　　 　　　
【３】対比・判断 
１．本願発明について 
（ア）本願発明と引用発明との対比 
　本願発明と引用発明とを対比すると、引用発明の「遊技場に設置された複数のパチンコ機２」、「遊技情報」、「遊技機の遊技情報管理提供システム」が、本願発明の「パチンコホールに設置された各ゲーム機」、「稼働状況を示す稼働情報」、「パチンコホール用情報提供システム」に相当する。
　また、引用発明に関する記載事項、上記１−（ウ）「・・パチンコ機２で生じる遊技情報、例えば、大当り回数、始動入賞回数、予定終了回数、出玉率等の情報は、図１に示すように、遊技場に設置される遊技情報管理装置７によって加工されて格納される。・・」、同じく１−（カ）「・・ホール用ホストコンピュータ７とＢＢＳ用ホストコンピュータ２０とは、ＢＢＳネットワーク・・で接続され、一方、遊技会員の有する端末装置１０・・は、・・モデム１５と接続され、該モデム１５とＢＢＳ用ホストコンピュータ２０とをモジュールケーブル及び公衆電話回線２１を介して接続する。これにより、遊技情報管理装置７と端末装置１０とがＢＢＳネットワーク２０で接続されたこととなる。」、同じく１−（キ）「遊技会員が自己の有する端末装置１０のキーボード１２を操作してＢＢＳ用ホストコンピュータ２０を介して遊技情報管理装置７と接続し、必要とする情報の提供を受ける。」、同じく１−（ク）「・・他の遊技情報、例えば、図６に示すように、パチンコ機２の遊技に係る大当り情報、始動入賞情報、出玉率等をキーボード１２を操作することにより、ディスプレイ１１に表示することもできる。・・」、同じく１−（ケ）「・・遊技会員が自分の端末装置１０を操作して遊技情報請求することにより、遊技場に設置される遊技情報管理装置７によって管理される各種の遊技情報がＢＢＳネットワーク２０を介して端末装置１０に伝送されるため、遊技場に来店しなくても事前に遊技情報を得ることができる。・・」なる記載、及び【図６】からみて、「遊技情報管理装置７」が、パチンコホールの各ゲーム機毎の稼働情報（遊技情報）を記憶し、且つ、記憶された稼働情報のうち特定の稼働情報（必要とする稼働情報）をパチンコホール外に送出することができるから、本願発明の「ホール管理コンピュータ」と「通信制御装置」の機能を兼ね備えており、当然に両者は結合されるものであるから、引用発明の「遊技情報管理装置７」は、本願発明と同様に「稼働情報を記憶するホール管理コンピュータと、このホール管理コンピュータに結合され、前記記憶された稼働情報のうち特定の稼働情報を前記パチンコホールの外部に送出する通信制御装置とを備え」ているといえる。
　そして、前記１−（キ）、１−（ク）及び１−（ケ）の記載から、「端末装置１０」は、明らかにパチンコホール外の顧客である遊技会員（遊戯客）により通信端末として利用され、キーボード１２の操作により通信制御装置（遊技情報管理装置７）から特定の稼働情報（必要とする遊技情報）を受信してディスプレイ１１に表示できることから、引用発明の「端末装置１０」は、本願発明と「パチンコホール外の遊戯客により利用される通信端末の操作によって、特定の稼働情報を通信制御装置から通信端末に受信して表示できるように構成されている」点で共通するものといえる。
　してみると、引用発明と本願発明とは
　　　　　
「パチンコホール内に設置された各ゲーム機毎の稼働状況を示す稼働情報を記憶するホール管理コンピュータと、このホール管理コンピュータに結合され、前記記憶された稼働情報のうち特定の稼働情報を前記パチンコホールの外部に送出する通信制御装置とを備えており、前記パチンコホール外の遊戯客により利用される通信端末の操作によって、前記特定の稼働情報を前記通信制御装置から前記通信端末に受信して表示できるように構成されている、パチンコホール用情報提供システム。」
　　　　
　である点で一致し、以下の点で相違する。 
　　　　　
 ＜相違点＞ 
　通信端末が、本願発明は携帯通信端末であって、特定の稼働情報をリアルタイムで受信して表示できるのに対し、引用発明では通信端末が携帯通信端末であるのか否か、また、稼働情報についてもリアルタイムで受信できるのか否かが明らかでない点。
　　　　　
２．相違点についての検討
＜相違点＞について
　通信端末より各ゲーム機の特定の稼働情報をリアルタイムで受信して表示させる点について、原査定の拒絶の理由に引用され、本願の出願日前に頒布された引用例２の上記記載事項、２−（ウ）「データ表示装置３の電気的構成の概略を示す・・メモリ１３は、変換データバッファ１３ａ、表示エリア指定メモリ１３ｂ及び履歴データメモリ１３ｃを有する。」、同じく２−（オ）「制御回路１５は、・・現在時刻が予め設定したデータ読み込み時刻（例えば毎正時及び１０分刻みの各時刻、つまり毎時００分、１０分、２０分、３０分、４０分、５０分）になったか否かを判断し（ステップＡ２）、「ＹＥＳ」と判断したときには通信処理ルーチンＡ３を実行する。」、同じく２−（カ）「・・通信処理ルーチンＡ３に移行したときには、・・集中管理コンピュータ２側へデータ送信要求を送信する・・」、同じく２−（キ）「・・集中管理コンピュータ２側の制御回路４は、上記データ送信要求を受けたときに、その時点から１０分間だけ遡った期間において外部メモリ１１に記憶した集計データＤＳ１、ＤＳ２・・・をデータ表示装置３側へ返信するものであり、このような返信データＤＳ１、ＤＳ２は、・・・受信データバッファ１２ａに図５に示すようなテーブルで一括して更新記憶される。・・」、同じく２−（ク）「・・受信データバッファ１２ａの記憶データを１ブロック分・・だけ読み込むものであり、この後には、データ変換処理ルーチンＢ３を実行する。」、同じく２−（ケ）「・・ルーチンＢ３では、・・・時系列データΔＸに変換するものであり、・・ステップＢ４では、上記変換後の時系列データΔＸを含む集計データＤＳ１或はＤＳ２を、メモリ１３の変換データバッファ１３ａに対し図６に示すようなテーブルで記憶させる。」、同じく２−（シ）「・・前記通信処理ルーチンＡ３からリターンしたとき、並びに前記ステップＡ２で「ＮＯ」と判断したときには、キーボード１６を通じて表示指令操作が行われたか否かを判断する（ステップＡ４）。・・」、同じく２−（ス）「・・キーボード１６を通じて例えば機種及び特賞データが指定された場合には、履歴データメモリ１３ｃに記憶された履歴データΣＳ中から、機種コードＣＫ及び種別データΔＦ（＝０）が合致するデータを読み出し、このように読み出した履歴データΣＳ中の台番号データΔＮをＣＲＴディスプレイ１４の台番号表示エリア１４ｂに表示する。・・」、同じく２−（セ）「・・上記のような表示は、毎正時になる毎に新たなデータに基づいたものに順次変更されるものであるから、パチンコ遊技機１おける特賞発生状況或は打止発生状況に関して常に最新のデータが得られる・・」なる記載から、ホール管理コンピュータ（集中管理コンピュータ）の外部メモリ１１にゲーム機（パチンコ遊技機）からの集計データ（稼働情報）が順次記憶され、１０分刻に１０分だけ遡った期間に記憶された前記稼働情報をデータ表示装置３に送信し更新記録させて表示用にデータが変換処理され、データ表示装置３のキーボードでデータを指定すると最新のデータが表示できる点が記載されており、これより、端末から各ゲーム機毎の特定の情報がリアルタイムで得られるように順次更新記録させる技術が引用例２に記載されているといえる。
　また、情報を集中管理するコンピュータからリアルタイムに情報を取得できる外部の通信端末に携帯通信端末が用いられることは、通信技術を利用する各技術分野において広く用いられる周知・慣用の技術（例えば、特開平５−２０８０７１号公報【０００９】、【００１０】、【００１３】、【００１４】、特開平４−３４１２８４号公報第３頁左欄第１４〜１８行、第３頁右欄第１５〜１７行、特開平５−８１５９４号公報【０００７】、【００１２】、【００２３】、【００２４】参照）である。
　そして、引用発明と引用例２及び上記周知技術は、ともに、情報を集中管理するコンピュータから端末より情報を取得することで技術分野が共通するから、引用発明のホール管理コンピュータ及び外部の通信端末に、引用例２の端末から各ゲーム機毎の特定の情報がリアルタイムに得られるように順次更新記録させる技術、及び管理コンピュータの情報の取得を外部の携帯通信端末で行う周知技術を採用し、携帯通信端末に特定の稼働情報をリアルタイムで受信できるようにすることは、当業者にとって容易なことである。
　そうすると、引用発明に引用例２及び上記周知技術を適用し、本願発明の相違点に係る構成とすることは、当業者であれば容易に想到できたことである。
  そして、本願発明における作用効果は、引用発明、引用例２及び上記周知技術に基づいて当業者が当然予測できるものである。
 　　　　　
【４】むすび
　以上のとおり、本願発明は、引用例に記載の発明、引用例２及び周知技術に基づいて当業者が容易に発明をすることができたものであるから、特許法第２９条第２項の規定により特許を受けることができないものであり、他の請求項に係る発明について検討するまでもなく、本願は拒絶すべきものである。
  よって、結論のとおり審決する。